(57)【要約】【課題】  ＲＦＩＤタグリーダが目的のＲＦＩＤタグの情報を読み取ろうとした場合に、ＲＦＩＤタグリーダにおける判別処理の複雑化を防止する。【解決手段】  ＩＤ情報１６と期限情報１５とを記憶する記憶部１４と、ＲＦＩＤタグリーダ２０から情報の読み出し要求と共に日付情報２４を受信し、ＩＤ情報１６を返信する送受信部１２と、受信した日付情報２４と記憶部１４から読み出した期限情報１５とを比較し、比較結果に基づきＩＤ情報１６を送受信部１２に出力する制御部１３と、を備える。制御部１３は、日付情報２４における日付が期限情報１５における期限を超えている場合にはＩＤ情報１６をＲＦＩＤタグリーダ２０に返信しないように送受信部１２を制御する。【選択図】  図１
2005293112.tif 000002
【特許請求の範囲】
【請求項１】
ＲＦＩＤ（Radio Frequency IDentification）としての機能を実行する期限情報を記憶する記憶領域を備えることを特徴とするＲＦＩＤタグ。
【請求項２】
前記機能は、前記ＲＦＩＤタグに記憶されているＩＤ（IDentification）情報の外部への通知を含むことを特徴とする請求項１記載のＲＦＩＤタグ。
【請求項３】
ＩＤ情報と期限情報とを記憶する記憶部と、
外部から情報の読み出し要求と共に日付情報を受信し、前記ＩＤ情報を返信する送受信部と、
受信した前記日付情報と前記記憶部から読み出した前記期限情報とを比較し、比較結果に基づき前記ＩＤ情報を前記送受信部に出力する制御部と、
を備え、
前記制御部は、前記日付情報における日付が前記期限情報における期限を超えている場合には前記ＩＤ情報を返信しないように前記送受信部を制御することを特徴とするＲＦＩＤタグ。
【請求項４】
請求項３記載のＲＦＩＤタグに前記読み出し要求と前記日付情報とを送信することを特徴とするＲＦＩＤタグリーダ。
【請求項５】
前記日付情報は、前記読み出し要求時の日付であることを特徴とする請求項４記載のＲＦＩＤタグリーダ。
【請求項６】
日付設定部を備え、前記日付情報は、前記日付設定部によって設定変更可能とされる情報であることを特徴とする請求項４記載のＲＦＩＤタグリーダ。
【請求項７】
ＲＦＩＤタグリーダによってＩＤ情報が読み出されるＲＦＩＤタグの読み出し方法であって、
前記ＲＦＩＤタグリーダから情報の読み出し要求と共に日付情報を受信するステップと、
前記ＲＦＩＤタグに記憶されているＩＤ情報と期限情報とを読み出すステップと、
前記日付情報と前記期限情報とを比較するステップと、
前記比較の結果、前記日付情報における日付が前記期限情報における期限を超えている場合には前記ＩＤ情報を前記ＲＦＩＤタグリーダに返信せず、超えていない場合には前記ＩＤ情報を前記ＲＦＩＤタグリーダに返信するステップと、
を含むことを特徴とするＲＦＩＤタグの読み出し方法。
【請求項８】
前記日付情報は、前記読み出し要求時の日付であることを特徴とする請求項７記載のＲＦＩＤタグの読み出し方法。
【請求項９】
前記ＲＦＩＤタグリーダは、日付設定部を備え、前記日付情報は、前記日付設定部によって設定変更可能とされる情報であることを特徴とする請求項７記載のＲＦＩＤタグの読み出し方法。
【発明の詳細な説明】
【技術分野】
【０００１】
本発明は、ＲＦＩＤ（Radio Frequency IDentification）タグ及びＲＦＩＤタグリーダ並びにＲＦＩＤタグの読み出し方法に係る。
【背景技術】
【０００２】
ＲＦＩＤは、タグ状あるいはラベル状等のアンテナ付ＩＣチップを物や人に付与し、ＩＣチップに記憶された情報をリーダによって電波による非接触通信で読み取ることで、物体の識別や個人認証などを行うものである。ＲＦＩＤタグは小型化することができ、非接触で読み取ることができるために、様々なものにＲＦＩＤタグが付加されようとしている。例えば、特許文献１には、ＲＦＩＤチップを搭載した記録媒体（ＲＦＩＤ搭載記録媒体、具体的にはＣＤやＤＶＤ等）を用い、保護したいレンタル情報（コンテンツ）を暗号化して記録媒体面に記録し、ＲＦＩＤチップに復号化鍵や貸出条件（貸出期日や使用回数等）を書き込み、情報の保護と貸出時の管理を行うシステムが開示されている。
【０００３】
一方、特許文献２には、ＩＣタグの使用可能回数をＩＣタグに保持する機能と、使用可能回数が使用制限値になったらメモリをロックする機能を備え使用制限値になったＩＣタグのタグＩＤと日付を管理する方式が開示されている。
【０００４】
【特許文献１】特開２００３−１８７５２４号公報  （図１、図４）
【特許文献２】特開２００１−２５６４５９号公報  （図１、図２）
【発明の開示】
【発明が解決しようとする課題】
【０００５】
今後の情報化社会の進展によれば、きわめて多くのものにＲＦＩＤタグが付加されると考えられる。しかし、年月が経過すると、ＲＦＩＤ機能として不要となるものが多量に出回り、無意味なＲＦＩＤタグが周りに存在する事になりかねない。言い換えれば賞味期限切れで目的外となったＲＦＩＤタグが大量に散在する虞がある。
【０００６】
このような状況下では、ＲＦＩＤタグリーダが目的のＲＦＩＤタグの情報を読み取ろうとした場合に、目的外のＲＦＩＤタグも応答してしまい、応答のあった情報が目的のＲＦＩＤタグの情報か否かについて判別するＲＦＩＤタグリーダでの処理が複雑化してしまう。
【０００７】
ところで、特許文献２に開示されているＩＣタグは、寿命が来たＩＣタグをＩＣタグへの書き込み回数で管理している。したがって寿命を年月で管理していないため、アクセス回数が少ない場合、期限切れの不要なタグを排除するには十分とはいえない。さらに、期限切れのタグでもリーダからの読み出し要求に対し応答を返してしまうため、タグリーダでの判別処理の複雑化を防止することができない。
【０００８】
したがって、本発明の目的は、ＲＦＩＤタグリーダが目的のＲＦＩＤタグの情報を読み取ろうとした場合に、ＲＦＩＤタグリーダにおける判別処理の複雑化を防止するＲＦＩＤタグ及びＲＦＩＤタグリーダ並びにＲＦＩＤタグの読み出し方法を提供することにある。
【課題を解決するための手段】
【０００９】
前記目的を達成する本発明の一つのアスペクトに係るＲＦＩＤタグは、ＲＦＩＤとしての機能を実行する期限情報を記憶する記憶領域を備える。
【００１０】
本発明のＲＦＩＤタグにおいて、機能は、ＲＦＩＤタグに記憶されているＩＤ情報の外部への通知を含んでいてもよい。
【００１１】
また、本発明の他のアスペクトに係るＲＦＩＤタグは、ＩＤ情報と期限情報とを記憶する記憶部と、外部から情報の読み出し要求と共に日付情報を受信し、ＩＤ情報を返信する送受信部と、受信した日付情報と記憶部から読み出した期限情報とを比較し、比較結果に基づきＩＤ情報を送受信部に出力する制御部と、を備える。制御部は、日付情報における日付が期限情報における期限を超えている場合にはＩＤ情報を返信しないように送受信部を制御する。
【００１２】
本発明のＲＦＩＤタグリーダにおいて、ＲＦＩＤタグに読み出し要求と日付情報とを送信するようにしてもよい。
【００１３】
また、本発明のＲＦＩＤタグリーダにおいて、日付情報は、読み出し要求時の日付であってもよい。
【００１４】
さらに、本発明のＲＦＩＤタグリーダにおいて、日付設定部を備え、日付情報は、日付設定部によって設定変更可能とされる情報であってもよい。
【００１５】
本発明のさらに他のアスペクトに係るＲＦＩＤタグの読み出し方法は、ＲＦＩＤタグリーダによってＩＤ情報が読み出されるＲＦＩＤタグの読み出し方法である。この方法は、ＲＦＩＤタグリーダから情報の読み出し要求と共に日付情報を受信するステップと、ＲＦＩＤタグに記憶されているＩＤ情報と期限情報とを読み出すステップと、日付情報と期限情報とを比較するステップと、比較の結果、日付情報における日付が期限情報における期限を超えている場合にはＩＤ情報をＲＦＩＤタグリーダに返信せず、超えていない場合にはＩＤ情報をＲＦＩＤタグリーダに返信するステップと、を含む。
【発明の効果】
【００１６】
本発明によれば、ＲＦＩＤタグリーダがＲＦＩＤタグの情報を読み取ろうとした場合に、ＲＦＩＤとしての役目を終了したＲＦＩＤタグからはＩＤ情報が返信されなくなる。したがって、不要なＲＦＩＤタグからの情報が制限され、ＲＦＩＤタグリーダにおける判別処理の複雑化を防止することができる。
【００１７】
また、ＲＦＩＤタグリーダの日付設定部によって、日付を、ＲＦＩＤタグの持つ期限情報の期限より先の日付に設定することで、期限切れのＲＦＩＤタグからＩＤ情報を読み出すことができる。
【発明を実施するための最良の形態】
【００１８】
本発明の実施形態に係るＲＦＩＤタグは、ＲＦＩＤとしての機能を実行する期限情報を記憶する記憶領域を備え、この機能は、ＲＦＩＤタグに記憶されているＩＤ情報の外部への通知を含んでいる。より具体的には、ＲＦＩＤタグ（図１の１０）は、記憶部（図１の１４）と、送受信部（図１の１２）と、制御部（図１の１３）とを含んでいる。記憶部（図１の１４）は、ＩＤ情報（図１の１６）と期限情報（図１の１５）とを記憶する。また、送受信部（図１の１２）は、ＲＦＩＤリーダ（図１の２０）からのＩＤ情報の読み出し要求と共に日付情報（図１の２４）を受信し、ＩＤ情報（図１の１６）を返信する。さらに、制御部（図１の１３）は、受信した日付情報（図１の２４）と記憶部（図１の１４）から読み出した期限情報（図１の１５）とを比較し、比較結果に基づきＩＤ情報（図１の１６）を送受信部（図１の１２）に出力し、日付情報（図１の２４）における日付が期限情報（図１の１５）における期限を超えている場合にはＩＤ情報（図１の１６）を返信しないように送受信部（図１の１２）を制御する。
【００１９】
ＲＦＩＤタグは、以上のように構成され、ＲＦＩＤタグリーダがＲＦＩＤタグのＩＤ情報を読み取ろうとした場合に、ＲＦＩＤとして期限切れの場合には機能せず、ＲＦＩＤタグからはＩＤ情報が返信されなくなる。
【実施例１】
【００２０】
図１は、本発明の実施例に係るＲＦＩＤタグ及びＲＦＩＤタグリーダの構成を示すブロック図である。図１において、ＲＦＩＤタグ１０は、アンテナ１１、送受信部１２、制御部１３、記憶部１４を備え、適宜物品等に装着されている。記憶部１４は、ＩＤ情報１６と、ＲＦＩＤとして機能する期限（例えて言うならばＲＦＩＤタグの寿命）を定める期限情報１５とを記憶する。一方、ＲＦＩＤタグリーダ２０は、アンテナ２１、送受信部２２、制御部２３、日付設定部２５を備え、ＲＦＩＤタグ１０の装着された物品等に電波３０を照射してアクセスする。制御部２３は、計時情報に相当する日付情報２４を蓄える。
【００２１】
ＲＦＩＤタグリーダ２０は、ＲＦＩＤタグ１０中のＩＤ情報１６を読み出すために、初めに制御部２３を動作させる。制御部２３は、読み出し要求を送信するように送受信部２２に指示する。この時、制御部２３は、読み出し要求時点の年月日を示す日付情報２４を、読み出し要求と合わせて送信するように送受信部２２に出力する。送受信部２２は、アンテナ２１を介し、読み出し要求と日付情報２４とを電波３０によってＲＦＩＤタグ１０に対し送出する。
【００２２】
ＲＦＩＤタグ１０は、ＲＦＩＤタグリーダ２０のアンテナ２１から送出される電波３０をアンテナ１１で受信して、受信した電波のエネルギーで動作する。送受信部１２は、ＲＦＩＤタグリーダ２０から送られる情報の読み出し要求と日付情報２４とを受信し、読み出し要求と日付情報２４とを制御部１３に出力する。
【００２３】
読み出し要求によって制御部１３は、記憶部１４から期限情報１５とＩＤ情報１６とを読み出す。さらに、日付情報２４と読み出した期限情報１５とを比較し、比較結果に基づきＩＤ情報１６を送受信部１２に出力する。なお、日付情報２４における日付が期限情報１５における期限を超えている場合にはＩＤ情報１６を返信しないように送受信部１２を制御する。
【００２４】
送受信部１２は、制御部１３の制御に基づき、ＩＤ情報１６を返信する場合にはアンテナ１１を介して電波３０によってＲＦＩＤタグリーダ２０に対しＩＤ情報１６を送出する。また、ＩＤ情報１６を返信しない場合には何も応答しない。
【００２５】
次に、以上のような構成におけるＲＦＩＤタグ１０の動作について説明する。図２は、本発明の実施例に係るＲＦＩＤタグの動作を示すフローチャート図である。
【００２６】
ステップＳ１１において、ＲＦＩＤタグ１０は、ＲＦＩＤタグリーダ２０から送出される電波３０のエネルギーを受けて電源の電力に変換し、内部に備えた電子部品を起動する。
【００２７】
ステップＳ１２において、ＲＦＩＤタグリーダ２０から送られる情報の読み出し要求と日付情報２４とを受信する。
【００２８】
ステップＳ１３において、記憶部１４から期限情報１５とＩＤ情報１６とを読み出す。
【００２９】
ステップＳ１４において、日付情報２４と読み出した期限情報１５とを比較し、日付情報２４における日付すなわち読み出し要求日が期限情報１５における期限を超えている場合には、何も応答せず一連の処理を終了する。
【００３０】
一方、日付が期限情報１５における期限を超えていない場合には、ステップＳ１５において、ＩＤ情報１６をＲＦＩＤタグリーダ２０に返信して一連の処理を終了する。
【００３１】
ＲＦＩＤタグは、以上のように動作し、ＲＦＩＤタグリーダ２０がＲＦＩＤタグ１０のＩＤ情報１６を読み取ろうとした場合に、ＲＦＩＤタグ１０がＲＦＩＤとして期限切れの場合には機能せず、ＲＦＩＤタグ１０から不要なＩＤ情報が返信されない。
【実施例２】
【００３２】
実施例２におけるＲＦＩＤタグリーダ２０は、日付設定部２５を備え、日付情報２４が日付設定部２５によって設定変更可能とされるものである。ＲＦＩＤタグリーダ２０は、この設定により日付情報２４として読み出し要求時の日付以外の日付を設定することができる。日付を、ＲＦＩＤタグ１０の持つ期限情報１５の期限より先の日付に設定することで、図２のステップＳ１４のＮを通過するようにして、期限切れのＲＦＩＤタグ１０からＩＤ情報１６を読み出すことができる。これによって、ＲＦＩＤタグ１０の品質管理、事故や犯罪のトレースなどにおいて期限切れのＲＦＩＤタグ１０の情報が必要となった場合に、ＩＤ情報を読み出すことが可能である。
【産業上の利用可能性】
【００３３】
食料品、衣料品など一般の量販品に取り付けるタグに適用することができる。
【図面の簡単な説明】
【００３４】
【図１】本発明の実施例に係るＲＦＩＤタグ及びＲＦＩＤタグリーダの構成を示すブロック図である。
【図２】本発明の実施例に係るＲＦＩＤタグの動作を示すフローチャート図である。
【符号の説明】
【００３５】
１０  ＲＦＩＤタグ
１１、２１  アンテナ
１２、２２  送受信部
１３、２３  制御部
１４  記憶部
１５  期限情報
１６  ＩＤ情報
２０  ＲＦＩＤタグリーダ
２４  日付情報
２５  日付設定部
【図１】
2005293112.tif 000003
【図２】
2005293112.tif 000004